(57)【要約】【課題】本発明は、上記の課題に鑑み、検体前処理システムの構成に対応する保守点検．管理が的確に行われ、高精度化、高い信頼性に応えることができる検体前処理システムを提供することを目的とする。【解決手段】本発明は、検体投入部，搬送部，各種処理部の制御およびステータス表示、上位ホストとの情報交換を行う前処理操作部を有する検体前処理システムにおいて、前処理操作部は、前記検体投入部、前記搬送部、前記各種処理部、前記検体収納部における各々の保守点検．管理項目を当該検体前処理システムのシステム構成に従いユーザが作成、編集可能な入力機能と、保守点検．管理に関するデータを登録、管理する保守管理データベースを備えることを特徴とする。【選択図】図２
2010156649.tif 000002
【特許請求の範囲】
【請求項１】
患者から採取した検体が入る検体容器をセットする検体投入部と、
前記検体容器を搬送する搬送部と、
前記搬送部で搬送されて来る前記検体容器の検体を遠心分離する遠心分離処理部，前記検体容器の栓を開栓する開栓処理部，前記検体容器の検体を分注する分注処理部，前記検体容器にバーコードを貼付するバーコード貼付処理部，前記検体容器に栓をする閉栓処理部，前記検体容器を仕分けする分類処理部の少なくとも一つを含む各種処理部と、
前記各種処理部で処理した処理後の前記検体容器を収納する検体収納部と、
前記検体投入部，前記搬送部，前記各種処理部の制御およびステータス表示、上位ホストとの情報交換を行う前処理操作部を有する検体前処理システムにおいて、
前記前処理操作部は、前記検体投入部、前記搬送部、前記各種処理部、前記検体収納部における各々の保守点検．管理項目を当該検体前処理システムのシステム構成に従いユーザが作成、編集可能な入力機能と、保守点検．管理に関するデータを登録、管理する保守管理データベースを備えることを特徴とする検体前処理システム。
【請求項２】
請求項１記載の検体前処理システムにおいて、
前記前処理操作部は、製造メーカにて予め登録されている保守点検．管理項目およびユーザが作成した保守点検．管理項目に対するタイマー機能，またはカウンタ機能を含む計測機能と、設定した時間を経過した経過後，または設定した数量を超えた超過経過後に定期的に注意、警告などのアラームの発生や表示をする報知機能を有することを特徴とする検体前処理システム。
【請求項３】
請求項１記載の検体前処理システムにおいて、
前記前処理操作部は、製造メーカにて予め登録された保守点検．管理項目の編集、削除することは不可能であり、ユーザが作成した保守点検．管理項目は編集、削除ができる機能を有することを特徴とする検体前処理システム。
【請求項４】
請求項１記載の検体前処理システムにおいて、
前記前処理操作部は、製造メーカにて予め登録された保守点検．管理項目およびユーザが作成した保守点検．管理を保守点検リストとして、プリンタ，またはＦＤ，ＣＤの少なくとも一つを含む外部媒体に出力できる出力機能を有することを特徴とする検体前処理システム。
【請求項５】
請求項１記載の検体前処理システムにおいて、
前記前処理操作部は、保守点検．管理項目の表示として、消耗品管理画面を設け、当該検体前処理システム内外に限らず在庫として保管している数量を含めて管理できる機能を有することを特徴とする検体前処理システム。
【請求項６】
患者から採取した検体が入る検体容器をセットする検体投入部と、
前記検体容器を搬送する搬送部と、
前記搬送部で搬送されて来る前記検体容器の検体を遠心分離する遠心分離処理部，前記検体容器の栓を開栓する開栓処理部，前記検体容器の検体を分注する分注処理部，前記検体容器にバーコードを貼付するバーコード貼付処理部，前記検体容器に栓をする閉栓処理部，前記検体容器を仕分けする分類処理部の少なくとも一つを含む各種処理部と、
前記各種処理部で処理した処理後の前記検体容器を収納する検体収納部と、
前記検体投入部，前記搬送部，前記各種処理部の制御およびステータス表示、上位ホストとの情報交換を行う前処理操作部を有する検体前処理システムにおいて、
前記前処理操作部の前記ステータス表示は、前記検体投入部、前記搬送部、前記各種処理部、前記検体収納部における各々の保守点検．管理項目に関する表示画面を含むことを特徴とする検体前処理システム。
【発明の詳細な説明】
【技術分野】
【０００１】
本発明は血液、尿などの生体サンプルを分析処理するための前処理を自動で行う検体前処理システムに係り、システム構成に従い保守、点検項目をユーザが作成、編集し前処理操作部にて登録、管理可能な検体前処理システムに関する。
【背景技術】
【０００２】
従来の検体前処理システムでは、前処理操作部での保守点検管理は実施されていないため、ユーザは取扱説明書や、ワンシートマニュアル等に従いメンテナンスを行っている。メンテナンス台帳をユーザ側で準備し、メンテナンス実施日、消耗品の在庫管理を管理している場合もある。
【０００３】
【特許文献１】特開平９−１９６９２４号公報
【特許文献２】特開平９−２１１００３号公報
【発明の開示】
【発明が解決しようとする課題】
【０００４】
自動分析装置では、保守管理や精度管理を分析装置用操作部で行っているが、検体前処理システムにおいては分析、測定を行わないため、測定結果や精度管理を必要としていなかった。しかしながら、昨今の検体前処理システムはより高精度化され、高い信頼性を求められていることから、ユーザ側で保守管理を行う必要があり、保守管理を徹底する上で不便であった。
【０００５】
本発明の目的は、上記の課題に鑑み、検体前処理システムの構成に対応する保守点検．管理が的確に行われ、高精度化、高い信頼性に応えることができる検体前処理システムを提供することにある。
【課題を解決するための手段】
【０００６】
本発明は、検体投入部，搬送部，各種処理部の制御およびステータス表示、上位ホストとの情報交換を行う前処理操作部を有する検体前処理システムにおいて、前処理操作部は、前記検体投入部、前記搬送部、前記各種処理部、前記検体収納部における各々の保守点検．管理項目を当該検体前処理システムのシステム構成に従いユーザが作成、編集可能な入力機能と、保守点検．管理に関するデータを登録、管理する保守管理データベースを備えることを特徴とする。
【発明の効果】
【０００７】
本発明によれば、各々の保守点検．管理項目を当該検体前処理システムのシステム構成に従いユーザが作成、編集可能な入力機能と、保守点検．管理に関するデータを登録、管理する保守管理データベースを備えるので、検体前処理システムの構成に対応する保守点検．管理が的確に行われ、高精度化、高い信頼性に応えることができる。また、ユーザの求めに柔軟に対処した保守、点検管理が実現できる。
【発明を実施するための最良の形態】
【０００８】
以下、図１〜図５を用いて、本発明の一実施形態による検体処理システムについて説明する。
【０００９】
図１は本発明の一実施形態による一般的な検体前処理システムの全体構成図である。
【００１０】
まず、検体前処理システムについて説明する。
【００１１】
検体前処理システムは、患者から採取した検体を検体容器に入れ、ラック３に載せてセットする検体投入部１と、ラックを搬送する搬送ライン２ａ〜２ｉを含む搬送部と、検体や検体が入った検体容器の各種処理を行う各種処理部と、処理が行われた検体容器を収納する検体収納部１１を有する。
【００１２】
各種処理部は、検体容器に与えられている情報を読み取る情報読取処理部および、検体容器の形状を検出する検出処理部、検体容器の栓形状を検出する栓検出処理部３ａ、検体の遠心分離を行う遠心分離処理部４、遠心分離処理中にラックを待機させるラックバッファリング処理部４ａ、栓付き検体容器の栓を開栓する開栓処理部５を有する。
【００１３】
また、各種処理部は、検体前処理システムに接続された自動分析装置１３に検体を搬送するため別検体容器に必要な分析処理に応じた分注を行うオンライン分注処理部６と、検体前処理システムに未接続の自動分析装置に分注するオフライン分注処理部７を有する。
【００１４】
更に、各種処理部は、オンライン分注処理部６で分注された検体容器に検体識別のためのバーコードラベルを貼り付けるバーコード貼り付け処理部８と、分注された検体容器に栓をする閉栓処理部９、オンライン分注６にて分注された検体容器を保存、外注委託等に振り分ける分類処理部１０を有する。
【００１５】
各種処理が行われ、オンライン分注部６で分注された検体が入る検体容器を載せたラック６ａ、６ｂは分析装置接続ライン１２にて接続された自動分析装置１３に搬送され、必要に応じた分析処理がされる。
【００１６】
検体投入部１、搬送ライン２ａ〜２ｉ、各処理部４、５、６、７、８、９、１０、検体収納部１１および分析装置接続ライン１２には、ＣＰＵが内蔵されており、検体前処理システム用の前処理操作部１４に通信ケーブルにて接続され、前処理操作部１４は各処理部を含む各部の制御を行う。
【００１７】
自動分析装置１３は分析装置用操作部１５と通信ケーブルにて接続され分析作動の制御を行う。検体前処理システム用の前処理操作部１４および、分析装置用操作部１５は通信ケーブルを介して上位ホスト１６と接続されている。
【００１８】
図１のシステム構成図は、一例であり、実際には規模や、運用方法が各ユーザで異なるため、検体前処理システムを複数台設置する場合や、一台の検体前処理システム内で処理部を複数台で構成する場合もある。
【００１９】
また、設置面積や、運用上の都合、予算費用の関係などで、必要な処理部を追加、または不要な処理部を検体前処理システムの構成から外すことも可能である。分析装置接続ラインを増やすことで、複数台の自動分析装置との接続も可能であり、検体前処理システムはユーザの都合で自由かつ柔軟に構成することができる。
【００２０】
検体前処理システムにおける保守点検．管理項目には、検体投入部１、搬送ライン２ａ〜２ｉ、各処理部４、５、６、７、８、９、１０、および分析装置接続ライン１２で異なり、定期的な清掃が必要になるもの、定期的に交換が必要になるもの、消耗品の補充、廃棄が必要なものなどが含まれる。
【００２１】
図２にて検体前処理システムの保守点検．管理画面の一実施例を説明する。
【００２２】
図２は保守点検．管理画面であり、検体前処理システムを構成する検体投入部、搬送ライン、各処理部、検体収納部、分析装置接続ラインなど、全てのユニット（各処理部や各部）が予め製造メーカにて登録されており、稼動状況やアラーム発生状態が画面で確認できる。
【００２３】
また、検体前処理システム全体に関する保守点検．管理項目や、消耗品の在庫数、ユーザが個別登録する項目も設けており、同様に稼動状況やアラーム発生状態が確認できる。検体前処理システム構成に含まれない処理部は未稼働として管理項目から外すことができるため、検体前処理システムの構成に合わせた設定が可能である。詳細の確認を行う場合は、確認したいユニット（各処理部や各部）を選択することで各ユニット（各処理部や各部）の画面へ推移する。
【００２４】
図３は図２にて開栓処理部を選択した際に表示される画面で、開栓処理部に関する詳細状況が確認できる。
【００２５】
保守点検．管理項目、点検周期、経過時間／処理数、アラーム設定、状態、点検日が確認できる。経過時間／処理数は、タイマー／カウンタ機能（計測機能）により、随時更新される。
【００２６】
設定した時間を経過した経過後，または設定した数量を超えた超過経過後には、報知機能のより報知が行われる。定期的に注意、警告などのアラームの発生や表示をする報知機能を用いてアラーム設定が行われる。アラーム設定は、項目の重要度に合わせて設定されており、警告レベルのアラームが発生した場合、点検実施後、実施確認のチェックを選択しアラーム解除を行う。アラーム解除を行わないと装置のステータスがＳＴＯＰとなり、検体前処理システムとして稼動ができないため、メンテナンス不足による検体前処理システムの不具合発生を事前に回避できる。
【００２７】
注意レベルのアラームの場合は、検体前処理システムとしては稼動が可能であるが、一定周期にてアラームを発生させ、ユーザに注意を促す。実施確認のチェックを実施後は、経過時間／処理数がリセットされる。
【００２８】
また、プリンタ出力ボタンにより保守管理リストを出力することができ、プリンタ以外のＣＤやＦＤを含む外部媒体に出力することも可能である。ここで登録されている保守管理項目は予め製造メーカにて登録されているものであり、ユーザが編集、追加することはできない。
【００２９】
図４は図２にて消耗品を選択した際に表示される画面で、消耗品の在庫状況を管理する画面である。
【００３０】
消耗品に関する消耗品管理画面には、保守点検．管理項目、在庫数、アラーム設定、状態、確認日が表示される。在庫数は、カウンタ機能により使用数に合わせて減少する。項目について、ここでは、オンライン分注処理部、オフライン分注処理部で使用する分注チップ、ろ紙、チップ廃棄袋、閉栓処理部で使用する閉栓キャップ、オンライン分注処理部で使用する子検体試験管、サンプルカップ、開栓処理部で使用する栓廃棄袋、ろ紙、バーコード貼付処理部で使用するバーコードラベル、インクリボンが項目として設定されている。
【００３１】
これらの消耗品は、運用状況使用しないものがある場合や、使用量に差がある場合など、ユーザ毎に条件が異なるため、保守点検．管理項目の追加、項目の削除を選択し、ユーザの条件に合わせて登録ができる。在庫数や、アラーム設定についても、保守点検．管理項目編集を選択することで、自由に選択が可能にある。消耗品を購入し在庫数が増えた場合は、在庫数を選択し数量の変更を行う。アラーム発生時はアラーム設定数以上の在庫数を入力すればアラームが自動的に解除される。
【００３２】
検体前処理システム内にセットされている消耗品が不足した場合には、各処理部にてアラームが発生するため、随時補充可能であるが、検体前処理システム外に保管している在庫分までの管理は出来ない。よって、不足した場合は検体前処理システムが稼動できないリスクがある。ここでは、検体前処理システム外の在庫分を含めて管理が出来るため、在庫切れのリスクを回避できる。また必要に応じてプリンタ出力ボタンにより保守管理リストを出力することができ、プリンタ以外のＣＤやＦＤに出力することも可能である。従来はユーザ側で、消耗品管理ノートなどで、手書き管理している場合が多かったため、管理を簡素化できる。
【００３３】
図５は図２にてユーザ設定を選択した際に表示される画面で、ユーザの運用、使用環境は様々であり、必要な保守点検．管理項目に対し、自由に追加入力、編集、削除できる画面である。点検周期、経過日数、アラーム設定、状態、点検日、実施確認が表示される。点検項目、点検周期、アラーム設定は、ユーザが任意に入力、設定することができる。アラーム発生時は、保守点検．管理項目を実施し、実施確認のチェックを選択し、アラームを解除する。保守点検．管理項目を新規に追加したい場合は、項目追加を選択し入力を行い、削除したい場合は保守点検．管理項目削除を選択、設定済みの保守点検．管理項目の編集を行いたい場合は、保守点検．管理項目編集を選択して変更を行う。ユーザでの設定項目が無い場合は、稼動／稼動停止を選択し、稼動停止に切り替えができる。
【００３４】
図６はユーザの要求により製品納入後に検体前処理システムのシステム構成の変更（増設）を行った際の全体構成図である。分類処理部（増設用）１７と、搬送ライン（増設用）２ｊが追加されている。増設作業は必ず製造メーカもしくは製造メーカが認可した保守メーカが実施する。ユーザでの作業はできない。
【００３５】
図７は検体前処理システムの構成変更後（増設後）の保守点検．管理画面である。
【００３６】
分類処理部（増設用）１７が追加されたことにより、検体分類処理部（増設１）の項目が追加されている。保守点検．管理画面の設定変更は増設作業時に製造メーカもしくは製造メーカが認可した保守メーカが実施し、ユーザは変更できない。
【００３７】
図８はユーザの要求により製品納入後に検体前処理システムのシステム構成の変更（縮小）を行った際の全体構成図である。
【００３８】
閉栓処理部８と、搬送ライン２ｆが削除されている。縮小作業は必ず製造メーカもしくは製造メーカが認可した保守メーカが実施する。ユーザでの作業はできない。
【００３９】
図９はシステム構成変更後（縮小後）の保守点検．管理画面である。
【００４０】
閉栓処理部８が削除されたことにより、閉栓部の項目が削除されている。保守点検．管理画面の設定変更は縮小作業時に製造メーカもしくは製造メーカが認可した保守メーカが実施し、ユーザは変更できない。
【図面の簡単な説明】
【００４１】
【図１】本発明の実施例に係るもので、検体前処理システムと自動分析装置を全体的に示した概略図である。
【図２】本発明の実施例に係わるもので、前処理操作部の保守点検．管理画面図である。
【図３】本発明の実施例に係わるもので、保守点検．管理画面の開栓処理部図である。
【図４】本発明の実施例に係わるもので、保守点検．管理画面の消耗品管理画面図である。
【図５】本発明の実施例に係わるもので、保守点検．管理画面のユーザ設定画面図である。
【図６】本発明の実施例に係わるもので、システム構成が増設されたときの検体前処理システムと自動分析装置を全体的に示した概略図である。
【図７】本発明の実施例に係わるもので、システム構成が増設されたときの前処理操作部の保守管理画面図である。
【図８】本発明の実施例に係わるもので、システム構成が縮小されたときの検体前処理システムと自動分析装置を全体的に示した概略図である。
【図９】本発明の実施例に係わるもので、システム構成が縮小されたときの前処理操作部の保守管理画面図である。
【符号の説明】
【００４２】
１…検体投入部、２ａ〜２ｉ…搬送ライン、３…ラック、４…遠心分離処理部、４ａ…ラックバッファリンブ処理部、５…開栓処理部、６…オンライン分注処理部、６ａ〜６ｂ…分注用の検体容器を載せたラック、７…オフライン分注処理部、８…バーコード貼付処理部、９…閉栓処理部、１０…分類処理部、１１…検体収納部、１２…分析装置接続ライン、１３…自動分析装置、１４…検体前処理システム用の前処理操作部、１５…分析装置用操作部、１６…上位ホスト、１７…分類処理部（増設用）、２ｊ…搬送ライン（増設用）。
【図１】
2010156649.tif 000003
【図２】
2010156649.tif 000004
【図３】
2010156649.tif 000005
【図４】
2010156649.tif 000006
【図５】
2010156649.tif 000007
【図６】
2010156649.tif 000008
【図７】
2010156649.tif 000009
【図８】
2010156649.tif 000010
【図９】
2010156649.tif 000011